(57)【要約】【課題】第１反射部材と第２反射部材との間には、レンズやプリズム等が設けられている場合が多い。【解決手段】プリズム１０は、第１面１１と第２面１２と第１反射面１３と第２反射面１４とが、各々、異なる面に形成されている。例えば、第１反射面１３は、第１面から入射された入射光を反射する。第２反射面１４は、第１反射面１３で反射された光を反射する。第２面１２は、第２反射面１３で反射された出射光を出射する。【選択図】 図１
2007256820.tif 000002
【特許請求の範囲】
【請求項１】
入射面と出射面と第１反射面と第２反射面とが、各々、異なる面に形成され、
前記第１反射面は、前記入射面から入射された入射光を反射し、
前記第２反射面は、前記第１反射面で反射された光を反射し、
前記出射面は、前記第２反射面で反射された出射光を出射することを特徴とする光学素子。
【請求項２】
前記入射光は、前記入射面に対して略垂直に入射されて、前記第１反射面及び前記第２反射面で略垂直に反射され、
前記出射光は、前記入射光の入射方向に対してねじれの位置関係である方向に出射されることを特徴とする請求項１に記載の光学素子。
【請求項３】
前記入射面及び前記出射面の少なくとも一方の面は、凸状に形成されていることを特徴とする請求項１に記載の光学素子。
【請求項４】
第１反射面を有する第１光学素子と、第２反射面を有する第２光学素子と、該第１及び該第２光学素子を保持する保持部材とを備え、
前記保持部材は、入射用開口及び出射用開口が形成された収容部を有し、
前記収容部の内壁の一部には、前記第１光学素子を固定する第１固定面が形成され、
前記収容部の内壁の他の一部には、前記第２光学素子を固定する第２固定面が形成され、
前記第１固定面には、前記入射用開口を通った光が前記第１光学素子の前記第１反射面に直接入射して当該第１反射面で反射し、当該反射光が前記第２固定面に固定された前記第２光学素子の前記第２反射面に直接入射するように該第１光学素子が固定され、
前記第２固定面には、前記第１反射面から前記第２反射面に直接入射された光が当該第２反射面で反射して前記出射用開口を通って直接出射するように該第２光学素子が固定されていることを特徴とする光学素子ユニット。
【請求項５】
前記出射用開口を通って出射した光は、前記第１反射面に入射された前記光の入射方向に対して、ねじれの位置関係である方向に出射されることを特徴とする請求項４に記載の光学素子ユニット。
【請求項６】
第１素子位置決め部及び第２素子位置決め部が、各々、前記第１固定面及び前記第２固定面に突設されており、
第１接着剤挿入孔及び第２接着剤挿入孔が、各々、前記第１固定面及び前記第２固定面に貫通して形成されており、
前記第１光学素子は、前記第１反射面の裏面側が前記第１素子位置決め部に当接されるとともに前記第１接着剤挿入孔から挿入された接着剤を介して前記第１固定部に接着されて、該第１固定部に固定され、
前記第２光学素子は、前記第２反射面の裏面側が前記第２素子位置決め部に当接されるとともに前記第２接着剤挿入孔から挿入された接着剤を介して前記第２固定部に接着されて、該第２固定部に固定されていることを特徴とする請求項４に記載の光学素子ユニット。
【請求項７】
前記第１及び前記第２光学素子のうちの少なくとも１つの光学素子は、ミラーであることを特徴とする請求項４に記載の光学素子ユニット。
【請求項８】
前記第１及び前記第２光学素子のうちの少なくとも１つの光学素子は、プリズムであることを特徴とする請求項４に記載の光学素子ユニット。
【請求項９】
受光素子と光学素子とを備え、
前記光学素子は、
入射面と出射面と第１反射面と第２反射面とが、各々、異なる面に形成され、
前記第１反射面は、前記入射面から入射された入射光を反射し、
前記第２反射面は、前記第１反射面で反射された光を反射し、
前記出射面は、前記第２反射面で反射された出射光を出射し、
前記受光素子は、前記光学素子の前記出射面から出射された光を受光することを特徴とする撮像装置。
【請求項１０】
受光素子と光学素子ユニットとを備え、
前記光学素子ユニットは、
第１反射面を有する第１光学素子と、第２反射面を有する第２光学素子と、該第１及  び該第２光学素子を保持する保持部材とを備え、
前記保持部材は、入射用開口及び出射用開口が形成された収容部を有し、
前記収容部の内壁の一部には、前記第１光学素子を固定する第１固定面が形成され、
前記収容部の内壁の他の一部には、前記第２光学素子を固定する第２固定面が形成さ  れ、
前記第１固定面には、前記入射用開口を通った光が前記第１光学素子の前記第１反射  面に直接入射して当該第１反射面で反射し、当該反射光が前記第２固定面に固定された  前記第２光学素子の前記第２反射面に直接入射するように該第１光学素子が固定され、
前記第２固定面には、前記第１反射面から前記第２反射面に直接入射された光が当該  第２反射面で反射して前記出射用開口を通って直接出射するように該第２光学素子が固  定され、
前記受光素子は、前記光学素子の前記出射用開口から出射された光を受光することを特徴とする撮像装置。
【請求項１１】
光源と光学素子とを備え、
前記光学素子は、
入射面と出射面と第１反射面と第２反射面とが、各々、異なる面に形成され、
前記第１反射面は、前記光源から放射された光を反射し、
前記第２反射面は、前記第１反射面で反射された光を反射し、
前記出射面は、前記第２反射面で反射された出射光を出射することを特徴とする照明装置。
【請求項１２】
光源と光学素子ユニットとを備え、
前記光学素子ユニットは、
第１反射面を有する第１光学素子と、第２反射面を有する第２光学素子と、該第１及  び該第２光学素子を保持する保持部材とを備え、
前記保持部材は、入射用開口及び出射用開口が形成された収容部を有し、
前記収容部の内壁の一部には、前記第１光学素子を固定する第１固定面が形成され、
前記収容部の内壁の他の一部には、前記第２光学素子を固定する第２固定面が形成さ  れ、
前記第１固定面には、前記光源から放射され前記入射用開口を通った光が前記第１光  学素子の前記第１反射面に直接入射して当該第１反射面で反射し、当該反射光が前記第  ２固定面に固定された前記第２光学素子の前記第２反射面に直接入射するように該第１  光学素子が固定され、
前記第２固定面には、前記第１反射面から前記第２反射面に直接入射された光が当該  第２反射面で反射して前記出射用開口を通って直接出射するように該第２光学素子が固定されていることを特徴とする照明装置。
【発明の詳細な説明】
【技術分野】
【０００１】
本発明は、光学素子、光学素子ユニット、光学素子を有する撮像装置及び照明装置並びに光学素子ユニットを有する撮像装置及び照明装置に関し、特に、プリズムに関する。
【背景技術】
【０００２】
近年、デジタルスチルカメラやデジタルビデオカメラ等の小型撮像装置が、家庭用の撮像装置として広く普及している。これらの小型撮像装置には、利便性の更なる向上が要求されており、例えば、より一層の小型化が要求されている。その要求に応えるため、これらの小型撮像装置に搭載される光学素子の小型化及び薄型化が研究されており、最近では、これらの小型撮像装置の光学系を折り曲げ光学系とすることが提案されている。
【０００３】
例えば、特許文献１には、折り曲げ光学系を備えた撮像装置が提案されている。特許文献１に開示された撮像装置では、光は、被写体側から入射して対物レンズを通過後、第１三角プリズムで鉛直下方に折曲される。鉛直下方に折曲された光は、第１レンズ群を通過して第２三角プリズムで略垂直に折曲され、第２レンズ群を通って撮像素子に入射する。
【特許文献１】特開２００４−１９３８４８号公報
【発明の開示】
【発明が解決しようとする課題】
【０００４】
しかしながら、特許文献１に記載の撮像装置では、第１三角プリズムと第２三角プリズムとの間にレンズ群があるため、第１三角プリズムで反射された光をレンズ群に通して第２三角プリズムで反射させなければならない。
【０００５】
本発明は、かかる点に鑑みてなされたものであり、その目的とするところは、第１反射部材と第２反射部材との間にレンズやプリズム等が設けられていない光学素子、光学素子ユニット、撮像装置及び照明装置を提供することにある。
【課題を解決するための手段】
【０００６】
本発明の光学素子は、入射面と出射面と第１反射面と第２反射面とが、各々、異なる面に形成されている。具体的には、第１反射面は、入射面から入射された入射光を反射し、第２反射面は、第１反射面で反射された光を反射し、出射面は、第２反射面で反射された出射光を出射する。
【０００７】
このような構成では、光学素子の一部分に第１反射面が形成され、光学素子の他の部分に第２反射面が形成されている。
【０００８】
本発明の光学素子ユニットは、第１反射面を有する第１光学素子と、第２反射面を有する第２光学素子と、第１及び第２光学素子を保持する保持部材とを備えている。保持部材は、入射用開口及び出射用開口が形成された収容部を有しており、収容部の内壁の一部には、第１光学素子を固定する第１固定面が形成され、収容部の内壁の他の一部には、第２光学素子を固定する第２固定面が形成されている。さらに、第１固定面には、入射用開口を通った光が第１光学素子の第１反射面に直接入射して当該第１反射面で反射し、当該反射光が第２固定面に固定された第２光学素子の第２反射面に直接入射するように第１光学素子が固定されている。また、第２固定面には、第１反射面から第２反射面に直接入射された光が当該第２反射面で反射して出射用開口を通って直接出射するように第２光学素子が固定されている。
【０００９】
このような構成では、第１光学素子は保持部材の一部に固定され、第２光学素子は保持部材の他の部分に固定されている。
【００１０】
本発明の第１の撮像装置は、受光素子と本発明の光学素子とを備えている。すなわち、この光学素子は、入射面と出射面と第１反射面と第２反射面とが、各々、異なる面に形成されている。さらに、第１反射面は、入射面から入射された入射光を反射し、第２反射面は、第１反射面で反射された光を反射し、出射面は、第２反射面で反射された出射光を出射する。また、受光素子は、光学素子の出射面から出射された光を受光する。
【００１１】
本発明の第２の撮像装置は、受光素子と本発明の光学素子ユニットとを備えている。すなわち、光学素子ユニットは、第１反射面を有する第１光学素子と、第２反射面を有する第２光学素子と、第１及び第２光学素子を保持する保持部材とを備えており、保持部材は、入射用開口及び出射用開口が形成された収容部を有し、収容部の内壁の一部には、第１光学素子を固定する第１固定面が形成され、収容部の内壁の他の一部には、第２光学素子を固定する第２固定面が形成されている。さらに、第１固定面には、入射用開口を通った光が第１光学素子の第１反射面に直接入射して当該第１反射面で反射し、当該反射光が第２固定面に固定された第２光学素子の第２反射面に直接入射するように第１光学素子が固定されている。また、第２固定面には、第１反射面から第２反射面に直接入射された光が当該第２反射面で反射して出射用開口を通って直接出射するように第２光学素子が固定されている。一方、受光素子は、光学素子の出射用開口から出射された光を受光する。
【００１２】
本発明の第１の照明装置は、光源と本発明の光学素子とを備えている。すなわち、光学素子は、入射面と出射面と第１反射面と第２反射面とが、各々、異なる面に形成されている。具体的には、第１反射面は、光源から放射された光を反射し、第２反射面は、第１反射面で反射された光を反射し、出射面は、第２反射面で反射された出射光を出射する。
【００１３】
本発明の第２の照明装置は、光源と本発明の光学素子ユニットとを備えている。すなわち、光学素子ユニットは、第１反射面を有する第１光学素子と、第２反射面を有する第２光学素子と、第１及び第２光学素子を保持する保持部材とを備え、保持部材は、入射用開口及び出射用開口が形成された収容部を有し、収容部の内壁の一部には、第１光学素子を固定する第１固定面が形成され、収容部の内壁の他の一部には、第２光学素子を固定する第２固定面が形成されている。さらに、第１固定面には、光源から放射され入射用開口を通った光が第１光学素子の第１反射面に直接入射して当該第１反射面で反射し、当該反射光が第２固定面に固定された第２光学素子の第２反射面に直接入射するように第１光学素子が固定されており、第２固定面には、第１反射面から第２反射面に直接入射された光が当該第２反射面で反射して出射用開口を通って直接出射するように第２光学素子が固定されている。
【発明の効果】
【００１４】
本発明では、第１反射面と第２反射面との間には、レンズやプリズム等が設けられていない。
【発明を実施するための最良の形態】
【００１５】
以下、本発明の実施形態を図面に基づいて詳細に説明する。なお、本発明は、以下の実施形態に限定されない。
【００１６】
《発明の実施形態１》
実施の形態１では、光学素子としてプリズムを例に挙げ、図１乃至図３を用いて、プリズム１０の構成、プリズム１０の製造方法及び撮像装置１００を示す。なお、図１は、プリズム１０の構成を示す斜視図であり、同図における矢印は、光の進行方向を示している。図２は、プリズム１０の製造装置１の一部を示す斜視図である。図３は、撮像装置１００の構成を示す図である。
【００１７】
まず、図１を用いて、プリズム１０の構成を示す。
【００１８】
プリズム１０は、d線（ナトリウムランプの出力光の波長、589.0nmまたは589.6nm）に対する屈折率が１．６５以上のガラスからなり、図１に示すように、第１面（入射面または出射面）１１、第２面（出射面または入射面）１２、第１反射面１３及び第２反射面１４を備えている。第１面１１に入射した入射光は、図１に示すように、第１反射面１３で鉛直下方へ反射し、第２反射面１４で略垂直に反射して、第２面１２から入射方向に対してねじれの方向に出射する。逆に、第２面１２に入射した光は、第２反射面１４で鉛直上方に反射し、第１反射面１３で反射して、第１面１１から上記ねじれの方向に出射する。このように、光は、プリズム１０内部で鉛直方向に折曲され、入射方向に対してねじれの方向に出射される。そのため、光学系の水平方向における長さを短縮することができる。
【００１９】
プリズム１０の形状は、詳細には、２つの略三角柱状のプリズム１０が一体となった形状であり、具体的には、一方の三角柱状プリズム１０の高さ方向と他方の三角柱状プリズム１０の高さ方向とが略垂直になるように配置されて、側面同士が重ね合わされた形状である。さらに、プリズム１０の形状は、第１反射面１３と第２反射面１４との面中心間隔が±０．００５ｍｍの精度であり、第１反射面１３を延長させた面と第２反射面１４を延長させた面とのなす角度が±３分の精度であることが好ましい。これにより、第１面１１に対して略垂直に入射した光は、確実に第２面１２から出射され、第２面１２に対して略垂直に入射した光は、確実に第１面１１から出射される。
【００２０】
次に、図２を用いて、プリズム１０の製造方法を示す。
【００２１】
まず、図２に示す製造装置１の準備を行う。具体的には、まず、下型（押し型）３を筒状の胴体（胴型）４内に入れる。このとき、用いる胴体４には、略四角柱状の空洞部４ａが胴体４と長手方向を揃えて形成されており、その空洞部４ａの内壁面の一部に、プリズム形成面部（不図示）が形成されている。また、用いる下型３はプリズム形成面部３ａを有しており、プリズム形成面部３ａを上に向けて下型３を胴体４の空洞部４ａ内に入れる。
【００２２】
次に、プリズム素材５を準備する。具体的には、材質は、d線に対する屈折率が１．６５以上のガラスである。また、形状は、特に限定されないが、成形後のプリズムの形状に似た形状であれば後の加熱工程における熱エネルギー量や加熱時間などを削減でき、その結果、ひけなどが最大限に抑制されたプリズムを成形可能なため、図１に示すプリズム形状に似た形状であることが好ましい。
【００２３】
続いて、準備したプリズム素材５を製造装置１の胴体４の空洞部４ａ内に入れ、プリズム素材５の上に上型（押し型）２を置く。このとき、用いる上型２はプリズム形成面部２ａを有しており、プリズム形成面部２ａを下向けて上型を胴体４の空洞部４ａ内に入れる。これにより、プリズム素材５の表面には、プリズム形成面部２ａ，３ａが接触する。
【００２４】
続いて、上型２の上に上ヒータブロック（不図示）を設置し下型３の下に下ヒータブロック（不図示）を設置し、上ヒータブロック及び下ヒータブロックを用いてプリズム素材５をその軟化点温度付近にまで昇温させて軟化させる。
【００２５】
続いて、上型２及び下型３に圧力を加えてプリズム素材５を加圧し、各々、上型２のプリズム形成面部２ａ及び下型３のプリズム形成面部３ａをプリズム素材５に転写する。このように、上型２及び下型３をプリズム素材５に転写すれば、胴体４をプリズム素材５に転写する場合に比べて、プリズム素材５への転写を高めることができる。
【００２６】
そして、上及び下ヒータブロックを用いて、プリズム素材５を常温付近にまで冷却させる。このとき、ガラス軟化点温度よりも若干低い温度にまで徐冷後、常温付近まで急冷することが好ましい。これにより、プリズム１０を成形することができる。
【００２７】
以下に、本実施形態におけるプリズム１０が奏する効果をまとめる。
【００２８】
第１反射面１３及び第２反射面１４は、各々、プリズム１０の一部分である。そのため、プリズム１０以外の光学素子が、第１反射面１３と第２反射面１４との間に設置されることはない。
【００２９】
また、光を入射面に対して略垂直に入射すれば、出射面に対して略垂直に出射させることができる。そのため、プリズム１０は、光学系における光路調整の簡便化を図ることができる。
【００３０】
また、プリズム１０は上述のガラスからなるため、可視光をプリズム１０に入射すれば、第１反射面１３及び第２反射面１４で可視光を全反射させることができる。なお、全反射は、９０％以上の反射率で反射することであり、好ましくは９５％以上の反射率で、より好ましくは９７％以上の反射率で反射することである。
【００３１】
続いて、図３を用いて、撮像装置１００の構成を示す。
【００３２】
撮像装置１００は、例えば、ＤＳＣ、ＤＶＣ、携帯電話用カメラ及びプロジェクションＴＶ等であり、図１に示すように、被写体側から撮像素子等の受光素子Ｓ側へ向かう方向に従って順に、第１レンズ群Ｇ１、プリズム１０、第２レンズ群Ｇ２及び第３レンズ群Ｇ３が配設された構成となっている。このように、第１反射面１３と第２反射面１４との間にはプリズム１０以外の他の光学素子が設置されていないため、撮像装置１００を小型にすることができる。
【００３３】
この撮像装置１００では、光（主に、可視光）は、被写体側から第１レンズ群Ｇ１へ入射後、プリズム１０の第１面１１に入射される。第１面１１から入射された光は、第１反射面１３で鉛直下方へ全反射されて、第２反射面１４で全反射されて第２面１２から出射される。第２面１２から出射された光は、第２レンズ群Ｇ２を通過後、第３レンズ群Ｇ３で集光されて、撮像素子Ｓに入射され電気信号に変換される。なお、可視光は、人間の目に光として感じる波長範囲の電磁波であり、個人差があるが、360〜400nm以上760〜830nm以下の電磁波である。
【００３４】
《発明の実施形態２》
実施の形態２では、図４を用いて、上記実施形態１のプリズムと第２面の形状のみが異なるプリズムを示す。図４は、本実施形態のプリズム２０の斜視図である。
【００３５】
プリズム２０は、図４に示すように、出射面である第２面２３が凸状に形成されたプリズムである。これにより、第２面２３は、出射面の機能だけでなく凸レンズの機能をも有する。
【００３６】
このようなプリズム２０は、上記実施形態１のプリズム１０が奏する効果とともに、以下の効果も奏する。このプリズム２０を用いて光学系を組み立てれば、上記実施形態１のプリズム１０を用いて光学系を組み立てる場合に比べて、レンズの枚数を減らすことができる。よって、プリズム２０は、上記実施形態１のプリズム１０よりも、更に小型の撮像装置を提供できる。
【００３７】
なお、第１面１１が凸状に形成されていてもよい。
【００３８】
《発明の実施形態３》
実施の形態３では、図５乃至図７を用いて、光学素子ユニット３０の構成と撮像装置２００の構成とを示す。図５は、光学素子ユニット３０の斜視図であり、同図の矢印は、光の進行方向を示している。図６は、保持部材４０の斜視図である。図７は、撮像装置２００の構成図である。
【００３９】
まず、図５及び図６を用いて、光学素子ユニット３０の構成を示す。
【００４０】
光学素子ユニット３０は、第１光学素子３１と第２光学素子３２と保持部材４０とを備えている。第１光学素子３１は、第１反射面３１ａを有するミラーであり、第２光学素子３２は、第２反射面３２ａを有するミラーである。
【００４１】
保持部材４０には、図６に示すように、収容部４１が形成されており、収容部４１には、第１開口４１ａと第２開口４１ｂと第１固定面４２と第２固定面４３とが形成されている。第１開口４１ａは、その一部が入射用開口または出射用開口となる開口である。第２開口４１ｂは、開口方向が第１開口４１ａの開口方向に対して略垂直であり、入射用開口または出射用開口となる開口である。すなわち、光は、第１開口４１ａから入射されて第２開口４１ｂから出射されるか、第２開口４１ｂから入射されて第１開口４１ａから出射される。
【００４２】
第１固定面４２は、収容部４１の内壁の一部に形成された略矩形の平面であり、第１光学素子３１が固定される面である。詳細には、第１固定面４２は、以下のように形成された面である。すなわち、第１固定面４２は、第１開口４１ａを通った光が第１反射面３１ａに直接入射して第１反射面３１ａで反射しその反射光が第２光学素子３２の第２反射面３２ａに直接入射するように、第１光学素子３１が固定されるように形成された面である。また、第１固定面４２は、第２光学素子３２の第２反射面３２ａから第１反射面３１ａへ直接入射した光が第１反射面３１ａで反射しその反射光が第１開口４１ａを通るように第１光学素子３１が固定されるように形成された面である。
【００４３】
第１固定面４２には、図６に示すように、第１接着剤挿入孔４２ａと一対の第１素子位置決め部４２ｂ，４２ｂとが形成されている。第１接着剤挿入孔４２ａは、第１固定面４２に対して略垂直に貫通して形成されている。一対の第１素子位置決め部４２ｂ，４２ｂは、第１固定面４２の周縁の互いに対向する位置に突設されている。これにより、第１光学素子３１は、第１反射面３１ａの裏面の周縁が一対の第１素子位置決め部４２ｂ，４２ｂに当接され、第１反射面３１ａの裏面の中央が第１接着剤挿入孔４２ａから挿入された接着剤（不図示）を介して第１固定面４２に接着されて、固定されている。
【００４４】
第２固定面４３は、収容部４１の内壁の他の一部に形成された略矩形の平面であり、第２光学素子３２が固定される面である。詳細には、第２固定面４３は、以下のように形成された面である。すなわち、第２固定面４３は、第１光学素子３１の第１反射面３１ａから第２反射面３２ａへ直接入射された光が第２反射面３２ａで反射して第２開口４１ｂを通って直接出射するように、第２光学素子３２が固定されるように形成された面である。また、第２固定面４３は、第２開口４１ｂを通った光が第２反射面３２ａに直接入射して第２反射面３２ａで反射して第１光学素子３１の第１反射面３１ａへ直接入射するように第２光学素子３２が固定されるように形成された面である。
【００４５】
第２固定面４３には、図６に示すように、第２接着剤挿入孔４３ａと一対の第２素子位置決め部４３ｂ，４３ｂとが形成されている。第２接着剤挿入孔４３ａは、第２固定面４３に対して略垂直に貫通して形成されている。一対の第２素子位置決め部４３ｂ，４３ｂは、第２固定面４３の周縁の互いに対向する位置に突設されている。これにより、第２光学素子３２は、第２反射面３２ａの裏面の周縁が一対の第２素子位置決め部４３ｂ，４３ｂに当接され、第２反射面３２ａの裏面の中央が第２接着剤挿入孔４３ａから挿入された接着剤（不図示）を介して第２固定面４３に接着されて、固定されている。
【００４６】
ここで、例えば、第１開口４１ａを通った光が第１反射面３１ａに直接入射するとは、第１開口４１ａを通った光が第１光学素子３１及び第２光学素子３２以外の光学素子を通ることなく第１反射面３１ａに入射されることを意味する。すなわち、第１開口４１ａと第１固定面４２との間、第１固定面４２と第２固定面４３との間、第２固定面４３と第２開口４１ｂとの間には、第１光学素子３１及び第２光学素子３２以外の光学素子は設置されない。
【００４７】
さらに、第１固定面４２と第２固定面４３との相対的な位置関係は、以下の通りであることが好ましい。すなわち、第１固定面４２と第２固定面４３との面中心間隔が±０．００５ｍｍの精度であり、第１固定面４２を延長させた面と第２固定面４３を延長させた面とのなす角度が±３分の精度であることが好ましい。これにより、第１光学素子３１を第１固定面４２に固定し第２光学素子３２を第２固定面４３に固定すれば、第１光学素子３１と第２光学素子３２との相対的な位置関係を調整しなくても、第１反射面３１ａに入射された光は第２反射面３２ａで反射して第２開口４１ｂから出射し、また、第２反射面３２ａに入射された光が第１反射面３１ａで反射して第１開口４１ａから出射する。そのため、比較的容易且つ短時間で、光学系を組み立てることができる。
【００４８】
次に、図７を用いて、光学素子ユニット３０を備えた撮像装置２００を示す。
【００４９】
撮像装置２００は、上記実施形態１の撮像装置１００と略同一であり、図７に示すように、被写体側から撮像素子等の受光素子Ｓ側へ向かう方向に従って順に、第１レンズ群Ｇ１、光学素子ユニット３０、第２レンズ群Ｇ２及び第３レンズ群Ｇ３が配設された構成となっている。光学素子ユニット３０を所定位置に設ければ、第１反射面３１ａと第２反射面３２ａとの相対的な位置調整を行わなくても撮像装置２００を組み立てることができる。そのため、撮像装置２００を容易に組み立てることができる。
【００５０】
なお、本実施形態では、第１光学素子及び第２光学素子としてミラーを用いた場合の光学素子ユニットを示したが、第１光学素子及び第２光学素子はミラー以外の光学素子であってもよい。以下に、第１の変形例に、光学素子としてミラーとプリズムとを備えてなる光学素子ユニットを示し、第２の変形例に、光学素子として２つのプリズムを備えてなる光学素子ユニットを示す。
【００５１】
（第１の変形例）
第１の変形例の光学素子ユニット５０を図８に示す。図８に示すように、光学素子ユニット５０は、第１光学素子としてのプリズム５１と、第２光学素子としてのミラー３２と、保持部材４０とを備えている。
【００５２】
プリズム５１は、略三角柱状の公知のプリズムであり、反射面の裏面側が第１固定面に接着固定されて保持部材４０の収容部４１に収容されている。
【００５３】
このような光学素子ユニット５０では、光は、図８に示すように、例えば、第１開口４１ａを通ってプリズム５１の入射面へ直接入射されて反射面で略垂直に反射されて出射面から出射される。その反射光は、ミラー３１の第１反射面へ直接入射されてその第１反射面で略垂直に反射されて、第２開口４２ａを通って光学素子ユニット５０の外部へ出射される。
【００５４】
（第２の変形例）
第２の変形例の光学素子ユニット６０を図９に示す。図９に示すように、光学素子ユニット６０は、第１光学素子としてのプリズム５１と、第２光学素子としてのプリズム５２と、保持部材４０とを備えている。プリズム５１，５２は、どちらも、上記第１の変形例のプリズムである。
【００５５】
このような光学素子ユニット６０では、光は、図９に示すように、例えば、第１開口４１ａを通ってプリズム５１の入射面へ直接入射され反射面で鉛直下方に反射されて出射面から出射される。その出射光は、プリズム５２の入射面へ直接入射され反射面で略垂直に反射されて出射面から出射され、第２開口４２ａを通って光学素子ユニット６０の外部へ出射される。
【００５６】
《発明の実施形態４》
実施の形態４では、図１０を用いて、上記実施形態１のプリズム１０を照明装置３００に搭載した場合を示す。図１０は、照明装置３００の光学系の配置構成を示す模式図である。図１０の２点破線は光軸を示しており、同図の矢印は光の進行方向を示している。
【００５７】
照明装置３００は、一眼レフカメラ等であり、図１０に示すように、光源Ｌ側から光照射側へ向かう方向に従って順に、第１レンズ群Ｇ１、第２レンズ群Ｇ２、プリズム１０及び第３レンズ群Ｇ３が配設された構成となっている。
【００５８】
光は、光源Ｌから放射され、第１レンズ群Ｇ１でコリメートされて第２レンズ群Ｇ２を通過後、プリズム１０の第２面１２に入射される。第２面１２から入射された光は、第２反射面１４で鉛直上方へ全反射され、第１反射面１３で全反射されて第１面１１から出射される。プリズム１０から出射された光は、第３レンズ群Ｇ３を通過して照明装置３００の外部へ出射される。
【００５９】
なお、プリズム１０の代わりに上記実施形態２のプリズム２０及び上記実施形態３等の光学素子ユニット３０，５０，６０を用いることができることは言うまでもない。
【産業上の利用可能性】
【００６０】
以上説明したように、本発明は、光学素子、光学素子ユニット、光学素子を備えた撮像装置及び照明装置、並びに、光学素子ユニットを備えた撮像装置及び照明装置について有用である。
【図面の簡単な説明】
【００６１】
【図１】第１の実施の形態におけるプリズムを示す斜視図。
【図２】第１の実施の形態におけるプリズムの製造装置の斜視図。
【図３】第１の実施の形態における撮像装置の光学系を示す模式図。
【図４】第２の実施の形態におけるプリズムを示す斜視図。
【図５】第３の実施の形態における光学素子ユニットを示す斜視図。
【図６】第３の実施の形態における保持部材を示す斜視図。
【図７】第３の実施の形態における撮像装置の光学系を示す模式図。
【図８】第３の実施の形態の第１変形例における光学素子ユニットを示す斜視図。
【図９】第３の実施の形態の第２変形例における光学素子ユニットを示す斜視図。
【図１０】第４の実施の形態における照明装置の光学系を示す模式図。
【符号の説明】
【００６２】
１０，２０    プリズム（光学素子）
１１    第１面
１２    第２面
１３    第１反射面
１４    第２反射面
２３    凸状
３０，５０，６０    光学素子ユニット
３１    第１光学素子
３１ａ    第１反射面
３２    第２光学素子
３２ａ    第２反射面
４０    保持部材
４１    収容部
４１ａ    第１開口
４１ｂ    第２開口
４２    第１固定面
４２ａ    第１接着剤挿入孔
４２ｂ    第１素子位置決め部
４３    第２固定面
４３ａ    第２接着剤挿入孔
４３ｂ    第２素子位置決め部
１００，２００    撮像装置
３００    照明装置
【図１】
2007256820.tif 000003
【図２】
2007256820.tif 000004
【図３】
2007256820.tif 000005
【図４】
2007256820.tif 000006
【図５】
2007256820.tif 000007
【図６】
2007256820.tif 000008
【図７】
2007256820.tif 000009
【図８】
2007256820.tif 000010
【図９】
2007256820.tif 000011
【図１０】
2007256820.tif 000012